(57)【要約】【課題】使用されるコインを検出する場合において、より一層、不正行為に強い技術を提供する。【解決手段】コインを検出するコイン検出装置に、検出光を照射する発光部と、発光部が照射する検出光の発光パターンを決定する信号発生回路と、検出光を受光する受光部とを設ける。信号発生回路は、検出期間Ｔにおいて発光部から照射される検出光の光量が互いに異なる３値以上の値のいずれかとなり、かつ、当該光量が「０」とならないように、発光パターンの周波数変調および光量変調を行う。そして、発光パターンと受光パターンとを比較することにより、受光部が受光した光が、不正治具等により模倣された光ではなく、発光部からの正常な検出光であるか否かを判定する。【選択図】図６
2011100312.tif 000002
【特許請求の範囲】
【請求項１】
検出光を照射することによりコインを検出するコイン検出装置であって、
互いに異なる３値以上の値のいずれかに前記検出光の光量がランダムに変化するように、前記検出光の発光パターンを決定する発光パターン決定手段と、
前記発光パターン決定手段により決定された発光パターンで検出光を照射する少なくとも１つの発光手段と、
入射する光に応じた受光パターンを出力する少なくとも１つの受光手段と、
前記発光パターン決定手段により決定された発光パターンと、前記受光手段により出力された受光パターンとに基づいて、前記受光手段に入射する光が前記発光手段により照射された検出光であるか否かを判定する判定手段と、
を備えることを特徴とするコイン検出装置。
【請求項２】
請求項１に記載のコイン検出装置であって、
前記互いに異なる３値以上の値は、いずれもゼロ以外の値であることを特徴とするコイン検出装置。
【請求項３】
請求項１または２に記載のコイン検出装置であって、
投入された物を検出する投入検出手段と、
前記発光手段を点灯状態と消灯状態との間で切り替える切替手段と、
をさらに備え、
前記切替手段は、前記投入検出手段により投入された物が検出されていないときには、前記発光手段を消灯状態にすることを特徴とするコイン検出装置。
【請求項４】
請求項１ないし３のいずれかに記載のコイン検出装置であって、
前記発光手段と前記受光手段とが反射型のフォトセンサを構成していることを特徴とするコイン検出装置。
【請求項５】
請求項４に記載のコイン検出装置であって、
前記発光パターン決定手段により決定される発光パターンと、前記発光パターンで検出光を照射した場合に前記受光手段により出力される受光パターンとの間の変換パラメータを記憶する記憶手段をさらに備え、
前記判定手段は、前記記憶手段に記憶されている変換パラメータに基づいて、判定することを特徴とするコイン検出装置。
【請求項６】
請求項５に記載のコイン検出装置であって、
検出対象のコインを投入しつつ前記発光手段により検出光を照射して前記受光手段により出力される受光パターンを取得し、取得した前記受光パターンと前記検出光の発光パターンとに基づいて変換パラメータを求めて前記記憶手段に記憶させることを特徴とするコイン検出装置。
【請求項７】
請求項１ないし３のいずれかに記載のコイン検出装置であって、
前記発光手段と前記受光手段とが透過型のフォトセンサを構成していることを特徴とするコイン検出装置。
【請求項８】
請求項１ないし７のいずれかに記載のコイン検出装置であって、
前記発光パターン決定手段は、検出光の光量の変化するタイミングがランダムに変化するように、前記検出光の発光パターンの周波数をランダムに変更することを特徴とするコイン検出装置。
【請求項９】
検出光を照射することによりコインを検出するコイン検出方法であって、
(a) 互いに異なる３値以上の値のいずれかに前記検出光の光量がランダムに変化するように、前記検出光の発光パターンを決定する工程と、
(b) 前記(a)工程において決定された発光パターンで発光手段により検出光を照射する工程と、
(c) 入射する光に応じた受光パターンを出力する受光手段により前記発光手段から照射される検出光を受光する工程と、
(d) 前記(a)工程において決定された発光パターンと、前記受光手段から出力される受光パターンとに基づいて、前記受光手段に入射する光が前記発光手段により照射された検出光であるか否かを判定する工程と、
を有することを特徴とするコイン検出方法。
【発明の詳細な説明】
【技術分野】
【０００１】
本発明は、検出光を照射することにより、遊技コインまたは貨幣等を検出する技術に関する。より詳しくは、検出の基準となる検出光の異常（不正）を判定し、不正を抑制する技術に関する。
【背景技術】
【０００２】
従来より、スロットマシン等のゲーム機や自動販売機、両替機等において、操作者によって使用される遊技コインまたは貨幣等（以下、単に「コイン」と称する。）を検出する技術が知られている。例えば、このような遊技コインを検出する装置として、特許文献１には、発光部と受光部とを備え、コイン通路を通過するコインに向けて検出光を照射することにより、当該コインを検出するフォトセンサが記載されている。
【先行技術文献】
【特許文献】
【０００３】
【特許文献１】特開２００６−０３４９４４号公報
【発明の概要】
【発明が解決しようとする課題】
【０００４】
ところが、特許文献１に記載されている技術では、発光部から照射される検出光の受光・未受光の変化（デジタル的変化）を受光部で検出することにより判定しているため、不正行為対策が不十分であるという問題があった。
【０００５】
例えば、不正行為者が、正規の検出光の受光部への入射を遮断しつつ、当該検出光を受光することにより当該検出光の発光パターンを検出し、検出した発光パターンで発光する発光素子を設けた不正治具を使用すると、適正なコインが投入されたと誤判定するおそれがあるという問題がある。すなわち、受光部における検出光の受光・未受光というデジタル的な現象に基づく判定では、不正行為に対して未だ脆弱であるという問題があった。
【０００６】
本発明は、上記課題に鑑みてなされたものであり、遊戯装置、自販機、両替機等において、操作者によって使用されるコインを検出する際に、より一層、不正行為に強い技術を提供することを目的とする。
【課題を解決するための手段】
【０００７】
上記の課題を解決するため、請求項１の発明は、検出光を照射することによりコインを検出するコイン検出装置であって、互いに異なる３値以上の値のいずれかに前記検出光の光量がランダムに変化するように、前記検出光の発光パターンを決定する発光パターン決定手段と、前記発光パターン決定手段により決定された発光パターンで検出光を照射する少なくとも１つの発光手段と、入射する光に応じた受光パターンを出力する少なくとも１つの受光手段と、前記発光パターン決定手段により決定された発光パターンと、前記受光手段により出力された受光パターンとに基づいて、前記受光手段に入射する光が前記発光手段により照射された検出光であるか否かを判定する判定手段とを備えることを特徴とする。
【０００８】
また、請求項２の発明は、請求項１の発明に係るコイン検出装置であって、前記互いに異なる３値以上の値は、いずれもゼロ以外の値であることを特徴とする。
【０００９】
また、請求項３の発明は、請求項１または２の発明に係るコイン検出装置であって、投入された物を検出する投入検出手段と、前記発光手段を点灯状態と消灯状態との間で切り替える切替手段とをさらに備え、前記切替手段は、前記投入検出手段により投入された物が検出されていないときには、前記発光手段を消灯状態にすることを特徴とする。
【００１０】
また、請求項４の発明は、請求項１ないし３のいずれかの発明に係るコイン検出装置であって、前記発光手段と前記受光手段とが反射型のフォトセンサを構成していることを特徴とする。
【００１１】
また、請求項５の発明は、請求項４の発明に係るコイン検出装置であって、前記発光パターン決定手段により決定される発光パターンと、前記発光パターンで検出光を照射した場合に前記受光手段により出力される受光パターンとの間の変換パラメータを記憶する記憶手段をさらに備え、前記判定手段は、前記記憶手段に記憶されている変換パラメータに基づいて、判定することを特徴とする。
【００１２】
また、請求項６の発明は、請求項５の発明に係るコイン検出装置であって、検出対象のコインを投入しつつ前記発光手段により検出光を照射して前記受光手段により出力される受光パターンを取得し、取得した前記受光パターンと前記検出光の発光パターンとに基づいて変換パラメータを求めて前記記憶手段に記憶させることを特徴とする。
【００１３】
また、請求項７の発明は、請求項１ないし３のいずれかの発明に係るコイン検出装置であって、前記発光手段と前記受光手段とが透過型のフォトセンサを構成していることを特徴とする。
【００１４】
また、請求項８の発明は、請求項１ないし７のいずれかの発明に係るコイン検出装置であって、前記発光パターン決定手段は、検出光の光量の変化するタイミングがランダムに変化するように、前記検出光の発光パターンの周波数をランダムに変更することを特徴とする。
【００１５】
また、請求項９の発明は、検出光を照射することによりコインを検出するコイン検出方法であって、(a)互いに異なる３値以上の値のいずれかに前記検出光の光量がランダムに変化するように、前記検出光の発光パターンを決定する工程と、(b)前記(a)工程において決定された発光パターンで発光手段により検出光を照射する工程と、(c)入射する光に応じた受光パターンを出力する受光手段により前記発光手段から照射される検出光を受光する工程と、(d)前記(a)工程において決定された発光パターンと、前記受光手段から出力される受光パターンとに基づいて、前記受光手段に入射する光が前記発光手段により照射された検出光であるか否かを判定する工程とを有することを特徴とする。
【発明の効果】
【００１６】
請求項１ないし９に記載の発明は、互いに異なる３値以上の値のいずれかに検出光の光量がランダムに変化するように、検出光の発光パターンを決定することにより、検出光の光量として、ＯＮ・ＯＦＦ以外の中間値が存在するため、不正防止効果が向上する。
【００１７】
請求項２に記載の発明は、互いに異なる３値以上の値は、いずれもゼロ以外の値であることにより、コインが通過している間、検出光が消灯する瞬間が存在しないため、コインの通過時間を正確に検出できる。
【００１８】
請求項３に記載の投入された物を検出する投入検出手段と、発光手段を点灯状態と消灯状態との間で切り替える切替手段とをさらに備え、投入検出手段により投入された物が検出されていないときには、発光手段を消灯状態にすることにより、消費電力を抑制できる。
【００１９】
請求項５に記載の発明は、発光パターン決定手段により決定される発光パターンと、発光パターンで検出光を照射した場合に受光手段により出力される受光パターンとの間の変換パラメータを記憶する記憶手段をさらに備え、記憶手段に記憶されている変換パラメータに基づいて、判定することにより、発光パターンと受光パターンとを直接比較する場合に比べて、精度が向上する。
【００２０】
請求項６に記載の発明は、検出対象のコインを投入しつつ発光手段により検出光を照射して受光手段により出力される受光パターンを取得し、取得した受光パターンと検出光の発光パターンとに基づいて変換パラメータを求めて記憶手段に記憶させることにより、例えば、店舗ごとに異なるコインを使用する場合に、当該コインに最適な検出を行うことができる。
【００２１】
請求項７に記載の発明は、発光手段と受光手段とが透過型のフォトセンサを構成していることにより、コインの状態に左右されることなく、検出を行うことができる。また、発光手段および受光手段の位置関係の最適化が容易である。
【図面の簡単な説明】
【００２２】
【図１】第１の実施の形態におけるコイン検出装置を備える遊戯装置のブロック図である。
【図２】第１の実施の形態におけるコイン検出装置の構成を示すブロック図である。
【図３】第１の実施の形態における信号発生回路によって決定された発光部の発光パターンを例示する図である。
【図４】第１の実施の形態における発光部および受光部の位置関係を示す図である。
【図５】コイン検出装置の機能ブロックをデータの流れとともに示す図である。
【図６】第１の実施の形態におけるコイン検出装置において、投入物が投入された場合における発光部の発光パターンおよび受光部の受光パターンを例示する図である。
【図７】第１の実施の形態におけるコイン検出装置によってコインを検出する方法を示す流れ図である。
【図８】第１の実施の形態におけるコイン検出装置による調整処理の詳細を示す流れ図である。
【図９】第１の実施の形態におけるコイン検出装置による検出処理の詳細を示す流れ図である。
【図１０】第１の実施の形態におけるコイン検出装置による検出処理の詳細を示す流れ図である。
【図１１】第２の実施の形態におけるコイン検出装置を示す図である。
【図１２】第２の実施の形態におけるコイン検出装置において、投入物が投入された場合における発光部の発光パターンおよび受光部の受光パターンを例示する図である。
【図１３】第２の実施の形態におけるコイン検出装置によってコインを検出する方法を示す流れ図である。
【図１４】第２の実施の形態におけるコイン検出装置による検出処理の詳細を示す流れ図である。
【図１５】第２の実施の形態におけるコイン検出装置による検出処理の詳細を示す流れ図である。
【図１６】第３の実施の形態におけるコイン検出装置を示す図である。
【図１７】第４の実施の形態における信号発生回路によって決定された発光部の発光パターンを例示する図である。
【発明を実施するための形態】
【００２３】
以下、本発明の好適な実施の形態について、添付の図面を参照しつつ、詳細に説明する。
【００２４】
＜１．  第１の実施の形態＞
図１は、第１の実施の形態におけるコイン検出装置１を備える遊戯装置６のブロック図である。遊戯装置６は、コイン検出装置１の他に、制御部６０、入力部６１、出力部６２およびコイン選別部６３を備えている。
【００２５】
以下の説明における遊戯装置６としては、いわゆる「パチスロ機」と呼ばれる装置を想定して説明するが、遊戯装置６はこれに限定されるものではない。例えば、遊戯装置６はゲームセンター等に設置されるテレビゲーム機やクレーンゲーム機等であってもよい。さらに、コイン検出装置１が搭載される装置としては、より広範囲には、操作者によって投入されるコイン（遊戯コイン、メダル、あるいは貨幣等）によって動作する装置（遊戯機に限定されず、自販機や両替機を含む）であってもよい。
【００２６】
一般に、遊戯装置６を設置する店舗（例えばパチスロ店や遊技場）では、自店舗における専用デザインのコイン（例えば、自店名やオリジナルの図柄等を刻印したコイン）を採用する場合が多い。これは、他の店舗で購入されたコインと自店舗のコインとを見分けられるようにするためである。一方で、遊戯装置６は、多くの店舗において共通に設置され運用されるため、正規に採用されているコインであれば、どの店舗のコインであっても使用可能であることが望ましい。
【００２７】
以下の説明では、遊戯装置６の仕様上において、使用可能なコインを「真性コイン８」と称する。言い換えれば、真性コイン８とは、遊戯装置６において使用可能なコインとしての規格（サイズ、重さ、形状、等の条件）の範囲内のコインである。また、個々の遊戯装置６が現実に設置されている店舗に限定して使用が許可されているコインを「純真性コイン８０」と称する。
【００２８】
また、真性コイン８のうち、純真性コイン８０以外のコインを「仮真性コイン８１」と称する。すなわち、仮真性コイン８１とは、遊戯装置６が設置されている店舗以外の店舗（他店舗）において正規に採用されているコイン（当該他店舗においては純真性コイン８０）である。なお、遊戯装置６が設置されている店舗から見れば、仮真性コイン８１は、他の店舗で購入されたコインであるから、当該コインによる遊戯は本来は許容されるべきではない。
【００２９】
図１に示す制御部６０は、データの演算を行うＣＰＵや、データを記憶するメモリ等から構成される装置であり、遊戯装置６の各構成を制御する機能を有する。制御部６０を備えることにより、遊戯装置６は一般的なコンピュータとしての機能を有している、
入力部６１は、主に、操作者（プレイヤーや店員等）の操作に応じて、遊戯装置６が当該操作者の意図した指示を受け付ける機能を有する。具体的には、ベットボタンやリール停止ボタン等の各種ボタン類や、操作キー、設定キー、スロットレバー等が入力部６１に該当する。
【００３０】
出力部６２は、制御部６０からの制御に従って、各種情報を操作者に提供（出力）する機能を有する。具体的には、液晶パネルやＬＥＤ、ランプ等の表示装置や、入賞した役を表示するリールドラム、ＢＧＭや効果音等を出力するスピーカ等が出力部６２に該当する。特に、出力部６２は、遊戯装置６のプレイヤーが内部に留保している遊戯コインの数を表示するコインカウンター（図示せず）を備えている。
【００３１】
コイン選別部６３は、遊戯装置６に投入されたコインの真偽（制御部６０からの制御信号として伝達される）に応じて、当該コインを遊戯装置６の内部に設けられた貯留部（図示せず）に導くか、遊戯装置６の外部に設けられた排出部（図示せず）に導くかを選別する機能を備えている。すなわち、投入されたコインが「真」と判定された場合には、当該コインはコイン選別部６３によって貯留部に案内される。一方で、投入されたコインが「偽」と判定された場合には、当該コインはコイン選別部６３によって排出部に案内され、遊戯装置６の外部に排出される。
【００３２】
図１に示すように、遊戯装置６はコイン検出装置１を備えており、遊戯装置６に投入された物は先述の貯留部に貯留されるまでの間に、コイン検出装置１にも投入される。ただし、遊戯装置６に投入された物であっても、コイン検出装置１の上流側に配置された検査装置（機械式センサ、磁気センサ、重量センサ等の何らかの検出器によって、真性コイン８であるか否かを検査する機能を備えた装置）によって、少なくとも真性コイン８ではないと判定された物は、コイン検出装置１に投入される前段階で排出部に向けて排出される。すなわち、遊戯装置６に投入された物のうち、先述の検査装置による検査をくぐり抜けてきた物のみがコイン検出装置１に投入される。
【００３３】
図１に示すように、以下の説明では、真性コイン８以外でコイン検出装置１に投入される物を不正規投入物９と称する。不正規投入物９は、コインに限られるものではなく、真性コイン８が遊戯装置６に投入されたかのように誤認させる目的で用いられる不正治具やセル板等の物を含む。
【００３４】
図２は、第１の実施の形態におけるコイン検出装置１の構成を示すブロック図である。図２に示すように、コイン検出装置１は、ＣＰＵ１０、記憶装置１１、インタフェース部１２、タイマ１３、投入検出部１４、信号発生回路１５、発光部１６，１７、および、受光部１８，１９を備えている。
【００３５】
詳細は後述するが、コイン検出装置１は、検出光を照射することにより真性コイン８（より望むべきは純真性コイン８０）を検出し、その旨を制御部６０に伝達する装置として構成されている。なお、以下では、コイン検出装置１が真性コイン８の検出を行う期間（検出期間）において、発光部１６（または発光部１７）から照射される光を「検出光」と称する。
【００３６】
ＣＰＵ１０は、記憶装置１１に記憶されているプログラム１１０に従って動作することにより、各種データの演算を行うとともにコイン検出装置１の各構成を制御する。なお、ＣＰＵ１０の機能については後述する。
【００３７】
記憶装置１１は、プログラム１１０、パラメータデータ１１１およびサイズデータ１１２等の各種データを格納し記憶しておく装置である。記憶装置１１は、用途や容量に応じて、ＲＯＭやＲＡＭ、ディスク装置といった様々なハードウェアから構成される。
【００３８】
インタフェース部１２は、遊戯装置６の制御部６０とコイン検出装置１のＣＰＵ１０とを接続する機能を提供するハードウェアであり、例えば、端子やソケット、コネクター等である。インタフェース部１２を備えることにより、ＣＰＵ１０は制御部６０との間でデータ通信が可能となる。特に、ＣＰＵ１０は、制御部６０に対して、真性コイン８を検出した旨をインタフェース部１２を介して伝達する。
【００３９】
タイマ１３は、一定の時間間隔で動作する発振器（図示せず）を備えており、主に、ＣＰＵ１０が時間を計測するために用いる。
【００４０】
投入検出部１４は、コイン検出装置１に、何らかの物体（真性コイン８または不正規投入物９）が投入されたことを検出して、検出タイミングをＣＰＵ１０に伝達する機能を有している。以下、投入検出部１４がＣＰＵ１０に出力する信号を「投入信号」と称する。投入検出部１４は、具体的には、投入物が接触することにより検出する接触センサや、投入物が光を遮断することにより検出するフォトセンサ、投入物によって変化する磁場を検出する磁気センサ等が想定される。
【００４１】
投入検出部１４は、少なくとも真性コイン８が投入されたときに、これを見逃さない程度の感度を有している。ただし、投入検出部１４は、投入物が真性コイン８であるか、不正規投入物９であるかを区別できる程の検出精度はない。
【００４２】
信号発生回路１５は、ＣＰＵ１０からの制御信号に応じて駆動され、後述する発光信号を生成して、当該発光信号をＣＰＵ１０および発光部１６，１７に向けて出力する。信号発生回路１５は、駆動中において出力する発光信号の周波数および振幅をランダムに変更可能な回路として構成されている。
【００４３】
本実施の形態におけるコイン検出装置１では、信号発生回路１５が出力する発光信号は発光部１６，１７の発光パターンを示している。具体的には、発光信号の周波数が発光部１６，１７の光量を変更するタイミングを示し、発光信号の振幅が発光部１６，１７の光量値（より詳細には発光部１６，１７に供給される電流値）を示す。すなわち、コイン検出装置１では、信号発生回路１５によって生成される発光信号の周波数に応じたタイミングで、発光信号の振幅に応じた光量に、発光部１６，１７の検出光の光量が変化する。
【００４４】
従来の技術では、発光信号に相当する信号によって、照射する光の点滅タイミングを決定していた。すなわち、従来の技術は、照射される光の光量（光強度）が「０（消灯）」か「１（点灯）」のいずれかに限定（いわゆる「２値化」）されていた。そして、当該信号の周波数をランダムに変更（周波数変調）することによって、「０」と「１」との間で光量を切り替えるタイミングのみをランダムに決定していた。したがって、切り替えるタイミングが模倣されてしまえば、切り替え後の光量は既知（光量が「０」のときは切り替え後の光量は必ず「１」であり、光量が「１」のときは切り替え後の光量は必ず「０」である。）であるため、誤検出となるおそれがあった。
【００４５】
本実施の形態における信号発生回路１５は、互いに異なる３値以上の値のいずれかに、検出光の光量（光強度）をランダムに決定することにより、当該検出光の発光パターンを決定する機能を有している。言い換えれば、互いに異なる３つ以上の値が予め検出光の光量の候補値として準備されており、光量を変更するタイミングにおいて、信号発生回路１５は、現在の光量となっている候補値以外の候補値（少なくとも２つ以上存在する）の中から、ランダムに選択した１つを変更後の光量に対応する候補値として決定する。すなわち、信号発生回路１５は、主に、本発明における発光パターン決定手段に相当する。
【００４６】
なお、先述のように、信号発生回路１５は発光信号の周波数をランダムに変更する機能も有しているので、コイン検出装置１では、検出光の光量が変化するタイミングもランダムに決定される。
【００４７】
発光部１６，１７は、信号発生回路１５から入力される発光信号に基づいて光を照射することにより、信号発生回路１５により決定された発光パターンで検出光を照射する。なお、発光部１６，１７は、信号発生回路１５が駆動されていない間は、消灯する。
【００４８】
図３は、第１の実施の形態における信号発生回路１５によって決定された発光部１６，１７の発光パターンを例示する図である。図３に示す例では、信号発生回路１５の駆動は時間ｔ１において開始されており、時間ｔ１から時間Ｔが経過した後、時間ｔ２において信号発生回路１５の駆動が停止されている。
【００４９】
コイン検出装置１では、投入検出部１４が投入物を検出すると、その検出タイミングが投入信号によりＣＰＵ１０に伝達され、これにより、ＣＰＵ１０が信号発生回路１５を駆動させる。そして、信号発生回路１５を駆動させてから予め設定されている時間Ｔが経過すると、ＣＰＵ１０は信号発生回路１５の駆動を停止させる。すなわち、検出期間は「Ｔ」となる。
【００５０】
検出光の光量は、信号発生回路１５により、互いに異なる３値以上の値のいずれかに、決定される。また、信号発生回路１５によって決定される光量の値は「０」以外の値である。したがって、図３に示すように、検出期間の間（時間ｔ１から時間ｔ２までの間）において、検出光の光量は３値以上の値のいずれかにランダムに変化し、かつ、「０」となることはない。検出期間の間、検出光の光量が「０」となることがないとは、当該期間中において発光部１６，１７は消灯することがないことを意味する。
【００５１】
なお、図３に示す例では、検出光の光量は、互いに異なる５値のうちのいずれかとなっているが、もちろん候補値の数はこれに限定されるものではない。また、図３から明らかなように、発光信号の周波数がランダムに変更されるため、検出光の光量のみならず、光量の変化のタイミングもランダムとなっている。
【００５２】
図２に戻って、受光部１８，１９は、入射する光に応じた受光パターンをＣＰＵ１０に向けて出力する。なお、第１の実施の形態における受光部１８，１９は、入射光の点滅（「０」か「１」か）だけでなく、入射光の点灯時の光強度（光量）を出力する必要があるため、アナログ出力可能に構成されている。
【００５３】
図４は、第１の実施の形態における発光部１６，１７および受光部１８，１９の位置関係を示す図である。コイン検出装置１の内部には、図４に示すように通路１ａが形成されており、コイン検出装置１に投入された真性コイン８や不正規投入物９は通路１ａを図４において上方から下方へ向けて通過する。なお、図４において図示を省略しているが、投入検出部１４は、通路１ａにおける発光部１６，１７および受光部１８，１９の配置位置よりも上流側に配置されている。
【００５４】
真性コイン８が通路１ａ内の所定の位置（以下、「第１位置」と称する）まで到達すると、発光部１６から照射された光が真性コイン８によって反射される状態となる。コイン検出装置１では、発光部１６から照射された光のうち、真性コイン８による反射光が効率よく受光部１８に入射するように、発光部１６と受光部１８との位置関係が固定されている。
【００５５】
また、真性コイン８が第１位置からさらに進行し、通路１ａ内の所定の位置（以下、「第２位置」と称する）まで到達すると、発光部１７から照射された光が真性コイン８によって反射される状態となる。コイン検出装置１では、発光部１７から照射された光のうち、真性コイン８による反射光が効率よく受光部１９に入射するように、発光部１７と受光部１９との位置関係が固定されている。このように、発光部１６と受光部１８、および、発光部１７と受光部１９は、それぞれがいわゆる反射型のフォトセンサを構成している。
【００５６】
なお、真性コイン８が第２位置からさらに進行し、通路１ａ内の所定の位置（以下、「第３位置」と称する）まで到達すると、発光部１６から照射された光が真性コイン８によって反射されなくなる。
【００５７】
また、真性コイン８が第３位置からさらに進行し、通路１ａ内の所定の位置（以下、「第４位置」と称する）まで到達すると、発光部１７から照射された光が真性コイン８によって反射されなくなる。
【００５８】
さらに、真性コイン８の第１位置と第２位置との距離（第３位置と第４位置との距離でもある）は、図４に示すように「Ｘ」であり、コイン検出装置１の設計において決定される既知の値である。
【００５９】
図５は、コイン検出装置１の機能ブロックをデータの流れとともに示す図である。図５に示す切替部１００および判定部１０１は、ＣＰＵ１０がプログラム１１０に従って動作することにより実現される機能ブロックである。
【００６０】
切替部１００は、コイン検出装置１の動作モードを切り替える機能を有している。切替部１００は、状況に応じて、少なくとも３つの動作モード（検出モード、待機モードおよび調整モード、）のうちから選択した１つの動作モードを、コイン検出装置１の動作モードとして設定する。
【００６１】
検出モードとは、コイン検出装置１に物が投入されたことを投入検出部１４が検出したときに遷移する動作モードであり、先述の検出期間におけるコイン検出装置１の動作モードである。より詳細には、動作モードが後述する待機モードにあるときにおいて、投入検出部１４からの投入信号により投入物の存在がＣＰＵ１０（切替部１００）に伝達されたときに、切替部１００が待機モードを検出モードに切り替える。
【００６２】
切替部１００は、動作モードを検出モードに切り替えたときに、タイマ１３を駆動して時間Ｔの経過を監視するとともに、信号発生回路１５を駆動する。これにより、信号発生回路１５は発光信号の出力を開始し、発光部１６，１７が検出光の照射を開始する。
【００６３】
動作モードを検出モードに切り替えてから時間Ｔが経過すると、切替部１００は動作モードを検出モードから待機モードに切り替え、信号発生回路１５を停止させる。これにより、信号発生回路１５から発光信号の出力が停止し、発光部１６，１７は消灯する。
【００６４】
このように信号発生回路１５は、少なくとも切替部１００により、動作モードが検出モードに設定されているときにのみ駆動することになる。したがって、コイン検出装置１に対する投入物が存在しておらず、コインの検出を行う必要がないとき（検出光の照射が不要なとき）には、発光部１６，１７を消灯状態に切り替えることができ、例えば消費電力を抑制できる。
【００６５】
待機モードとは、いわば遊戯装置６が通常動作をしているときの動作モードであり、コイン検出装置１が前述の検出モードおよび後述の調整モードにないときの動作モードである。
【００６６】
調整モードとは、いわば遊戯装置６のメンテナンスモードに相当する動作モードであり、純真性コイン８０を用いて、パラメータデータ１１１を個々の店舗用に調整する際に遷移する動作モードである。より詳細には、動作モードが待機モードにあるときにおいて、入力部６１を店員が操作することにより調整モードに遷移させる指示が入力され、その旨が制御部６０からインタフェース部１２を介してＣＰＵ１０（切替部１００）に伝達されたときに、切替部１００は待機モードを調整モードに切り替える。
【００６７】
切替部１００は、動作モードを調整モードに切り替えたときも、投入検出部１４からの投入信号に応じてタイマ１３を駆動して時間Ｔの経過を監視するとともに、信号発生回路１５を駆動する。ただし、このとき切替部１００は動作モードを検出モードに切り替えることはしない。さらに、信号発生回路１５を駆動してから時間Ｔが経過すると切替部１００は信号発生回路１５を停止させる。
【００６８】
調整モードから待機モードへの復帰（遷移）は、入力部６１からの復帰指示が入力されることにより、切替部１００によって実行される。すなわち、店員が入力部６１を操作して調整モードを終了させる指示を入力したときに、その旨が制御部６０からインタフェース部１２を介して切替部１００に伝達され、切替部１００が調整モードを待機モードに切り替える。
【００６９】
判定部１０１は、主に、検出モードにおいて真性コイン８を検出したか否かを示す判定データ１１３を作成する機能と、待機モードにおいてパラメータデータ１１１を更新（補正）する機能とを有している。
【００７０】
まず、判定部１０１が真性コイン８を検出する機能について説明する。
【００７１】
真性コイン８の検出は、真に発光部１６，１７から照射された検出光によって検出する必要があり、不正治具等により模倣された光を検出光と誤認するとコインの誤検出となる。すなわち、判定部１０１は、受光部１８，１９に入射する光が発光部１６，１７により照射された検出光であるか否かを判定する機能も有している。
【００７２】
図６は、第１の実施の形態におけるコイン検出装置１において、投入物が投入された場合における発光部１６の発光パターンおよび受光部１８の受光パターンを例示する図である。図６では、投入物による検出光の反射光が検出光の７５％の光量で受光部１８に受光され、発光部１６の対向壁面による検出光の反射光が検出光の２５％で受光部１８に受光される例を示す。なお、発光部１７および受光部１９についても同様であるため、発光部１７および受光部１９については図示および説明を省略する。
【００７３】
既に図４に示した位置関係で、発光部１６および受光部１８を配置すると、真性コイン８や不正規投入物９が存在しない場合であっても、検出光は発光部１６に対向した位置に存在する対向壁面によって反射され、その一部（図６に示す例では先述のとおり２５％）が受光部１８に入射する。
【００７４】
また、検出光が真性コイン８に反射された場合も、その一部が受光部１８に入射する。厳密に言えば、真性コイン８に反射され受光部１８に入射する検出光の光量は、真性コイン８の表面状態（形状、材質、色等）によって変化する。
【００７５】
しかしながら、真性コイン８の表面状態は、真性コイン８の規格によってある程度決定される。したがって、真性コイン８に反射されてから受光部１８に入射する検出光の光量は、所定内の範囲の値として予測することが可能である。
【００７６】
本実施の形態におけるコイン検出装置１では、このような予測により発光パターンを受光パターン（疑似受光パターン）に変換するための変換パラメータがパラメータデータ１１１として記憶装置１１に記憶されている。具体的には、真性コイン８の表面における検出光の反射率を４０％〜９０％の範囲内と予測し、変換パラメータとして下限値４０％、上限値９０％が記憶されている。すなわち、パラメータデータ１１１は、検出光における光量と、当該光量の検出光の受光部１８，１９の出力における光量との対応関係（許容範囲を含む）を記憶したデータである。
【００７７】
判定部１０１は、検出期間（検出モード）において、信号発生回路１５から入力される発光信号（発光パターン）と、パラメータデータ１１１と、受光部１８から入力される受光パターンとに基づいて、投入物が真性コイン８であるか否かを判定する。例えば、発光パターンをパラメータデータ１１１に格納されている変換パラメータに応じて疑似受光パターンに変換し、受光パターンが当該疑似受光パターンの範囲内であれば、受光部１８，１９に入射している光は正常な検出光であり、かつ、当該検出光により真性コイン８を検出したと判定する。
【００７８】
コイン検出装置１では、発光パターンの光量および周波数がランダムに変化する。したがって、発光パターンに対する予測される受光パターンを予め作成しておくことはできず、予測される受光パターンと実際の受光パターンとを比較することはできない。しかし、真性コイン８の規格に応じて、真性コイン８の反射率の範囲をある程度絞っておくことが可能であり、随時入力される発光パターンの光量に基づいて、真性コイン８が投入されているときに予測される受光パターン（疑似受光パターン）の光量を随時求めて実際に受光された光量と比較することは可能である。
【００７９】
なお、受光パターンを疑似発光パターンに変換する変換パラメータをパラメータデータ１１１として記憶しておき、受光パターンを疑似発光パターンに変換しつつ、実際に入力される発光パターンと比較することにより判定するように構成してもよい。あるいは、実際に入力される発光パターンおよび受光パターンから、実際の変換パラメータを求め、これとパラメータデータ１１１とを比較するように構成してもよい。
【００８０】
一方、図６に示す時間Ｓｔは、受光部１８に入射する光の光量が検出光の光量の２５％から７５％に増加したときに、判定部１０１がタイマ１３を参照することにより検出可能な時間である。すなわち、検出モードにおいて、判定部１０１は信号発生回路１５から入力される発光パターン（発光信号）と、受光部１８から入力される受光パターンとを比較している。そして、判定部１０１は、発光パターンにおける光量に対して受光パターンにおける光量が急激に増加したときの時間として、時間Ｓｔをタイマ１３から取得する。なお、時間Ｓｔは、投入物の端部が第１位置に到達した時間を示している。
【００８１】
時間Ｓｔは、発光部１７および受光部１９についても検出可能である。すなわち、投入物の端部が第２位置に到達した時間も判定部１０１およびタイマ１３により計測可能である。そして、投入物が第１位置に到達した時間と投入物が第２位置に到達した時間との時間差は、投入物が第１位置から第２位置に移動するのに要した時間（以下、「時間τ」と称する）である。
【００８２】
先述のように、第１位置と第２位置との距離は「Ｘ」であるから、判定部１０１は、投入物の速度（以下、「速度Ｖ」と称する）を、以下の式１で求める。
【００８３】
Ｖ＝Ｘ／τ  ・・・  式１
【００８４】
また、図６に示す時間Ｅｔは、受光部１８に入射する光の光量が、検出光の光量の７５％から２５％に減少した時間として検出可能である。なお、時間Ｅｔは、投入物の端部が第３位置に到達した時間を示している。
【００８５】
すなわち、時間Ｓｔと時間Ｅｔとの時間差（図６に示す時間Ｃｔ）は、投入物が第１位置から第３位置まで移動するのに要した時間を示している。そして、この時間内において、投入物は自己のサイズ（以下、「サイズＷ」と称する）に応じた距離だけ移動したことになる。また、このときの投入物の速度Ｖは、先述の式１で求まるから、判定部１０１は投入物のサイズＷを、以下の式２で求めることができる。
【００８６】
Ｗ＝Ｃｔ／Ｖ＝τ×（Ｅｔ−Ｓｔ）／Ｘ  ・・・  式２
【００８７】
真性コイン８のサイズは真性コイン８の規格としてサイズデータ１１２に格納され記憶装置１１に記憶されている。判定部１０１は、サイズデータ１１２に示される真性コイン８のサイズを参照し、式２で求めた投入物のサイズＷと比較することにより、当該投入物が真性コイン８であるか否かを判定する。
【００８８】
なお、判定部１０１は、光量による判定およびサイズによる判定のいずれもが、投入物が真性コイン８であるとの判定結果である場合に、真性コイン８を検出したことを示す判定データ１１３（以下、「コイン検出を示す判定データ１１３」と称する）を作成し、記憶装置１１に記憶させる。一方、光量による判定およびサイズによる判定のいずれかが、投入物が真性コイン８でないとの判定結果である場合に、真性コイン８を検出しなかったことを示す判定データ１１３（以下、「コイン未検出を示す判定データ１１３」と称する）を作成し、記憶装置１１に記憶させる。
【００８９】
次に、判定部１０１がパラメータデータ１１１を更新する機能について説明する。
【００９０】
動作モードが調整モードである場合、調整に店員は必ず自店舗のコイン（純真性コイン８０）を遊戯装置６に投入するので、コイン検出装置１に投入される物も必ず純真性コイン８０である。そして、調整モードにおいても、投入検出部１４が投入物（純真性コイン８０）を検出すると、発光部１６，１７が信号発生回路１５により決定された発光パターンの光を照射し、受光部１８，１９が入射光を受光する。
【００９１】
したがって、調整モードにおいても、判定部１０１には、信号発生回路１５から発光パターンが入力され、受光部１８から受光パターンが入力される。調整モードにおいて、判定部１０１は、入力される発光パターンと、入力される受光パターンとに基づいて、当該発光パターンと当該受光パターンとの間の変換パラメータを求め、これに応じてパラメータデータ１１１を更新する。
【００９２】
具体的には、図６に示す発光パラメータおよび受光パターンが入力された場合、判定部１０１が求める変換パラメータは「７５％」となる。そして、判定部１０１は、求めた「７５％」に基づいて、例えば７０％〜８０％の範囲をパラメータデータ１１１として更新する。
【００９３】
このように、判定部１０１は、調整モードにおける更新により、真性コイン８の規格に応じて初期値として決められていた変換パラメータの範囲を絞り込む機能を有している。ここに示す例では、調整前において４０％〜９０％という５０％の許容範囲が設けられていたが、調整により７０％〜８０％という１０％の許容範囲に絞り込まれる。
【００９４】
パラメータデータ１１１を初期値のままでコイン検出装置１を運用することは、真性コイン８の規格に合致さえしていれば、他店舗で購入された仮真性コイン８１であっても、自店舗において使用を認めることになる。
【００９５】
しかし、本実施の形態におけるコイン検出装置１は、自店舗に専用の純真性コイン８０によって調整を行うことにより、例え真性コイン８の規格に合致している仮真性コイン８１であっても、純真性コイン８０と相当異なるものについては不正規投入物９と判定され、使用を抑制することが可能となる。すなわち、真性コイン８のいずれにも対応可能である一方で、純真性コイン８０以外の仮真性コイン８１の使用を抑制できるという効果がある。
【００９６】
パチスロ機（遊戯装置６）に使用される遊戯コインは、真性コイン８の規格内であっても、表面が鏡面加工されたものや、砂地のように加工されたもの、材質の違いから黄色味や茶色味を帯びたものなどが存在するという事情がある。すなわち、この業界においては、表面状態が相当異なる真性コイン８が混在しているという状況がある。
【００９７】
さらに、全国的に共通して使用される貨幣と異なり、遊戯装置６において使用される他店舗の仮真性コイン８１とは、せいぜい近隣の店舗で採用されているものであり、遠方のものは使用量的にあまり深刻な問題ではないという事情がある。そこで、自店舗の純真性コイン８０をデザインする際に、近隣に存在する仮真性コイン８１を参考にして、コイン検出装置１がこれらと見分けることのできるデザインを採用することも可能である。
【００９８】
したがって、特定の店舗において、仮真性コイン８１を全て完全に排除することができないとしても、その一部でも使用を抑制できるのであれば、現状のように全ての仮真性コイン８１の使用を黙認せざるを得ない状況に比べて、店舗にとっては利益があるといえる。また、このような調整を行うために、店舗において現在使用している純真性コイン８０を鋳造し直す必要はない。また、遊戯装置６を店舗に設置する際に、一度だけ調整を行えば、当該装置についてその後、同じ作業は不要である。
【００９９】
なお、純真性コイン８０を用いた調整においては、複数回の調整を連続して実行することも可能とされている。この場合、判定部１０１は、複数枚の純真性コイン８０を用いて連続して実行された複数回の調整で得られた変換パラメータの下限値および上限値に応じて、パラメータデータ１１１における許容範囲を決定する。例えば、調整が複数回繰り返されたことによって、下限値７０％および上限値８０％が得られた場合、例えば許容範囲として、６０％〜９０％の範囲をパラメータデータ１１１とする。
【０１００】
調整により許容範囲を絞り込むと、純真性コイン８０を誤って不正規投入物９と誤認する危険性が生じる。しかし、状態の異なる複数の純真性コイン８０を用いて、複数回連続的に調整を行うことにより、調整による許容範囲の絞り込みを緩めることが可能であり、純真性コイン８０が不正規投入物９と誤認される危険性を抑制できる。すなわち、このような調整を行うことにより、純真性コイン８０において発生するバラツキに対応することができる。
【０１０１】
また、例えば、１０円硬貨は、鋳造直後と、経年後とでは、表面の状態が大きく異なる。このように表面状態が大きく異なるものが存在するコインについて複数回の調整を行うと、結局は初期値と大差ない許容範囲の大きいパラメータデータ１１１が作成され、仮真性コイン８１の使用抑制効果が低下することも考えられる。
【０１０２】
しかし、パチスロ機（遊戯装置６）に使用される遊戯コインは、店舗内において定期的に洗浄されるのが一般的であり、市場に流通する貨幣と異なり、汚れによる状態変化は少ないという特有の事情がある。また、錆たり、剥げたりする構造のものは客の手が汚れるため敬遠され、あまり採用されないという事情もある。すなわち、この業界においては、純真性コイン８０の表面状態は比較的バラツキが少なく、かなり均一化されていることが期待できる。したがって、複数回の調整を行ったとしても、許容範囲が広がり過ぎる危険性は低いと考えられる。
【０１０３】
また、複数回の調整を行うとしても、その作業は調整モードに遷移させておいてからコインを必要枚数投入するだけである。したがって、例えば１００枚程度のコインによって調整するとしても、１分も要さずに完了する。すなわち、作業は至って簡易であり、店員の負担を増大させることもない。
【０１０４】
以上が遊戯装置６の構成および機能の説明である。次に、コイン検出装置１によってコインを検出する方法について説明する。
【０１０５】
図７は、第１の実施の形態におけるコイン検出装置１によってコインを検出する方法を示す流れ図である。図７に示す処理は、遊戯装置６（コイン検出装置１）の電源が投入されることにより開始される。
【０１０６】
電源が投入されると、遊戯装置６およびコイン検出装置１は所定の初期設定を実行する。さらに、コイン検出装置１の切替部１００がコイン検出装置１の動作モードを待機モードにセットし（ステップＳ１）、待機状態となる。
【０１０７】
待機状態において、コイン検出装置１のＣＰＵ１０は、操作者によって調整指示入力がされるか（ステップＳ２）、投入物が検出されるか（ステップＳ６）、および、電源が断たれるか（ステップＳ１０）を監視している。
【０１０８】
コイン検出装置１が待機状態にあるときに、操作者（主に店員）が入力部６１を操作し、調整を行う旨の指示を入力した場合、ＣＰＵ１０はステップＳ２においてＹｅｓと判定し、切替部１００が動作モードを調整モードに切り替える（ステップＳ３）。これにより、調整処理（ステップＳ４）が開始される。
【０１０９】
図８は、第１の実施の形態におけるコイン検出装置１による調整処理の詳細を示す流れ図である。なお、調整処理とは、記憶装置１１に記憶されているパラメータデータ１１１を、純真性コイン８０を用いて調整（更新）する処理である。
【０１１０】
調整処理が開始されると、ＣＰＵ１０は、純真性コイン８０が投入されたか（ステップＳ１１）、および、調整処理を終了する旨の指示入力がされたか（ステップＳ１９）を監視する状態となる。
【０１１１】
ここで、純真性コイン８０が投入され、投入検出部１４がこれを検出したことを投入信号によりＣＰＵ１０に伝達すると、切替部１００はステップＳ１１においてＹｅｓと判定し、タイマ１３に時間Ｔを計測するようセットするとともに、信号発生回路１５を駆動させる（ステップＳ１２）。
【０１１２】
これにより、信号発生回路１５による発光パターンの決定が開始され、発光信号の発光部１６，１７に向けての出力が開始され、発光部１６，１７が当該発光信号に応じて発光し、光の照射を開始する（ステップＳ１３）。
【０１１３】
なお、調整処理においては、不正規投入物９による不正使用を防止する必要はないので、発光パターンはランダムに生成されるものでなくてもよく、比較的模倣が容易な既成の発光パターンを用いてもよい。例えば、段階的に光量が変化するような、調整処理用の特殊な発光パターンを用いてもよい。
【０１１４】
また、後述するように、本実施の形態における調整処理では、受光部１９から出力される受光パターンは用いないので、発光部１７に対しては発光信号を出力しなくてもよい。
【０１１５】
さらに、調整処理は比較的短時間で終了するので、その間継続的に、発光部１６を点灯状態にしてもよい。すなわち、純真性コイン８０が投入される度に改めてタイマ１３によって時間Ｔを計測し、時間Ｔが経過する度に信号発生回路１５を停止させるのではなく、調整処理中は信号発生回路１５を駆動したままにしておき、調整処理を終了するときに信号発生回路１５を停止させるようにしてもよい。
【０１１６】
次に、ＣＰＵ１０は受光部１８を駆動するとともに、判定部１０１が受光部１８から出力される受光パターンの監視を開始して（ステップＳ１４）、純真性コイン８０が第１位置に到達するまで待機する（ステップＳ１５）。純真性コイン８０が第１位置に到着したか否かは、先述のように、発光パターンの光量に対する受光パターンの光量が瞬間的に増大する瞬間として検出できる（時間Ｓｔを検出する要領で検出できる）。
【０１１７】
従来の技術のように、検出期間において検出光がＯＮ・ＯＦＦされると、たまたま検出光の光量が「０」のときに純真性コイン８０が第１位置に到達すると、反射光の光量も「０」であるため、検出することができないという問題があった。しかしながら、コイン検出装置１の信号発生回路１５は、検出光の発光パターンにおいて、光量を「０」とすることがないため、第１位置に到達したことを正確に検出できる。なお、第２位置、第３位置および第４位置についても同様に正確に検出できる。
【０１１８】
純真性コイン８０が第１位置に到達すると、判定部１０１がステップＳ１５においてＹｅｓと判定し、信号発生回路１５から入力される発光パターンと、受光部１８から入力される受光パターンとに基づいて、変換パラメータを求める（ステップＳ１６）。さらに、判定部１０１は、純真性コイン８０が第３位置に到達するまでステップＳ１６を繰り返す（ステップＳ１７）。純真性コイン８０が第３位置に到着したか否かは、先述のように、発光パターンの光量に対する受光パターンの光量が瞬間的に減少する瞬間として検出できる（時間Ｅｔを検出する要領で検出できる）。
【０１１９】
純真性コイン８０が第３位置に到達すると、判定部１０１がステップＳ１７においてＹｅｓと判定し、純真性コインが第１位置から第３位置まで移動する間に求めた変換パラメータに基づいて、新たにパラメータデータ１１１を作成し、記憶装置１１に記憶させる（ステップＳ１８）。先述のように、パラメータデータ１１１においては許容範囲が儲けられているが、判定部１０１は、調整処理で求めたパラメータデータ１１１の許容範囲を、初期値のパラメータデータ１１１の許容範囲よりも狭く設定する。
【０１２０】
なお、図８に示す処理では、説明を簡略化するために、１つの純真性コイン８０による調整が完了してから、次の純真性コイン８０が投入されることを前提に説明している。例えば、ステップＳ１５やステップＳ１７のような処理を設けると、コイン検出装置１が先に投入された純真性コイン８０により待機状態となり、厳密には、その間、後続の純真性コイン８０に対する処理ができなくなる。
【０１２１】
しかし、実際の作業では、先に投入された純真性コイン８０による調整の完了を待つことなく、純真性コイン８０を次々と投入できるように構成することが好ましい。このように構成するためには、詳細な説明は省略するが、例えば、投入され投入検出部１４により検出された順に各純真性コイン８０に識別子を付与し、当該識別子に関連づけて、各純真性コイン８０の状態（現在位置等）を識別するためのフラグを設け、これらのフラグにより複数の純真性コイン８０の状態を管理すればよい。通路１ａ内でコインの追い越しは発生しないため、これにより先に投入された純真性コイン８０による調整の完了を待つことなく、純真性コイン８０を次々と投入した場合にも対応することできる。以下の説明においても同様である。
【０１２２】
操作者が入力部６１を操作して、調整処理を終了させる旨の指示を入力した場合には、ＣＰＵ１０はステップＳ１９においてＹｅｓと判定し、調整処理を終了して図７に示す処理に戻る。
【０１２３】
図７に戻ってステップＳ４における調整処理が終了すると、切替部１００が動作モードを待機モードに切り替える（ステップＳ５）。これにより、コイン検出装置１は、再び待機状態となる。
【０１２４】
コイン検出装置１が待機状態にあるときにおいて、投入検出部１４から出力される投入信号により投入物が検出されたことが伝達されると、ＣＰＵ１０はステップＳ６においてＹｅｓと判定し、切替部１００が動作モードを検出モードに切り替える（ステップＳ７）。これにより、コイン検出装置１において検出処理（ステップＳ８）が開始される。
【０１２５】
図９および図１０は、第１の実施の形態におけるコイン検出装置１による検出処理の詳細を示す流れ図である。なお、検出処理とは、コイン検出装置１が真性コイン８（より望むべくは純真性コイン８０）を検出する処理である。
【０１２６】
検出処理が開始されると、切替部１００が信号発生回路１５の駆動を開始させる（ステップＳ２１）。これにより、信号発生回路１５が検出光の発光パターンを決定しつつ、発光信号を生成し発光部１６，１７に向けて出力を開始する。したがって、発光部１６，１７による検出光の照射が開始される（ステップＳ２２）。
【０１２７】
検出光の照射が開始されると、ＣＰＵ１０に対して受光部１８，１９からの入力が開始され、判定部１０１による受光部１８，１９からの受光パターンの取得が開始される（ステップＳ２３）。そして、コイン検出装置１は、ステップＳ６において検出された投入物が第１位置に到達するまで待機する（ステップＳ２４）。先述のように、投入物が第１位置に到達したか否かは、発光パターンの光量に対する受光部１８の受光パターンの光量が瞬間的に増大する瞬間として検出できる（時間Ｓｔを検出する要領で検出できる）。
【０１２８】
投入物が通路１ａ内の第１位置に到達すると、判定部１０１は、信号発生回路１５から入力される発光パターン（発光部１６による検出光の発光パターン）と、受光部１８から入力される受光パターンと、パラメータデータ１１１とに基づいて、投入物が少なくとも真性コイン８であるか否かの判定を開始する（ステップＳ２５）。
【０１２９】
ステップＳ２５における判定は、受光部１８が受光している光が真に発光部１６から照射された検出光の反射光であるか否かを、光量の変化タイミングのみならず、光量そのものをも用いて判定することにより、検出光になりすました光（不正治具等により模倣され光）による不正遊戯等を防止する。
【０１３０】
特に、検出光の発光パターンは互いに異なる３値以上の値のいずれかにランダムに変化するため、従来の発光パターンに比べて不正治具等によって当該検出光を模倣することは困難である。したがって、不正防止効果が向上する。
【０１３１】
また、受光部１８が受光している光が真に発光部１６から照射された検出光の反射光であっても、発光部１６と受光部１８とが反射型のフォトセンサを構成することにより、真性コイン８と表面状態が異なる不正規投入物９からの反射光であれば見分けることが可能であり、誤検出をさらに防止することができる。
【０１３２】
特に、調整処理により、パラメータデータ１１１が純真性コイン８０によって調整されていた場合には、真性コイン８のうちの仮真性コイン８１についても見破ることが可能である。
【０１３３】
なお、ステップＳ２５が実行された後は、受光部１８から入力される受光パターンによる判定は、投入物が第３位置に到達し、ステップＳ３１が実行されるまで継続される。
【０１３４】
ステップＳ２５が実行されると、コイン検出装置１は、投入物が第２位置に到達するまで待機する（ステップＳ２６）。先述のように、投入物が第２位置に到達したか否かは、発光パターンの光量に対する受光部１９の受光パターンの光量が瞬間的に増大する瞬間として検出できる（時間Ｓｔを検出する要領で検出できる）。
【０１３５】
投入物が第２位置に到達すると、判定部１０１は、信号発生回路１５から入力される発光パターン（発光部１７による検出光の発光パターン）と、受光部１９から入力される受光パターンと、パラメータデータ１１１とに基づいて、投入物が少なくとも真性コイン８であるか否かの判定を開始する（ステップＳ２７）。
【０１３６】
なお、ステップＳ２７が実行された後は、受光部１９から入力される受光パターンによる判定は、投入物が第４位置に到達し、ステップＳ３３が実行されるまで継続される。
【０１３７】
さらに、判定部１０１は、先述のように、式２を演算して投入物のサイズＷを求め、サイズＷとサイズデータ１１２とを比較することにより、サイズによる判定を行う（ステップＳ２８）。すなわち、投入物がサイズデータ１１２に比べて小さすぎたり、大きすぎたりした場合は、投入物を不正規投入物９であると判定する。
【０１３８】
サイズによる判定が実行されると、コイン検出装置１は、投入物が第３位置に到達するまで待機する（ステップＳ２９）。先述のように、投入物が第３位置に到達したか否かは、発光パターンの光量に対する受光部１８の受光パターンの光量が瞬間的に減少する瞬間として検出できる（時間Ｅｔを検出する要領で検出できる）。
【０１３９】
投入物が第３位置に到達すると、判定部１０１は、受光部１８から入力される受光パターンによる判定（ステップＳ２５において開始した判定）を停止し（ステップＳ３１）、投入物が第４位置に到達するまで待機する（ステップＳ３２）。先述のように、投入物が第４位置に到達したか否かは、発光パターンの光量に対する受光部１９の受光パターンの光量が瞬間的に減少する瞬間として検出できる（時間Ｅｔを検出する要領で検出できる）。
【０１４０】
投入物が第４位置に到達すると、判定部１０１は、受光部１９から入力される受光パターンによる判定（ステップＳ２７において開始した判定）を停止し（ステップＳ３３）、これまでの判定結果に応じて判定データ１１３を作成し、記憶装置１１に記憶させる。これにより、インタフェース部１２が遊戯装置６の制御部６０に判定データ１１３を伝達する（ステップＳ３４）。
【０１４１】
なお、コイン検出装置１では、いずれかの判定において投入物が不正規投入物９であると判定された場合には、コイン未検出を示す判定データ１１３が作成される。一方、すべての判定において真性コイン８と判定された場合には、コイン検出を示す判定データ１１３が作成される。
【０１４２】
遊戯装置６の制御部６０は、コイン検出装置１からコイン未検出を示す判定データ１１３が伝達された場合には、コインカウンター（出力部６２）の表示をインクリメントすることなく、コイン選別部６３により投入物を排出部に向けて導く。これにより、真性コイン８と判定されなかった投入物は遊戯装置６の外部に排出される。
【０１４３】
また、遊戯装置６の制御部６０は、コイン検出装置１からコイン検出を示す判定データ１１３が伝達された場合には、コインカウンターをインクリメントするとともに、コイン選別部６３により投入物を貯留部に向けて導く。これにより、真性コイン８を投入した場合には遊戯装置６による遊戯が可能となる。
【０１４４】
ステップＳ３４を実行して判定データ１１３の伝達が完了すると、判定部１０１は、タイマ１３を参照し、時間Ｔが経過するまで待機し（ステップＳ３５）、時間Ｔが経過すると切替部１００が信号発生回路１５の駆動を停止する（ステップＳ３６）。これにより、発光部１６，１７による検出光の照射が停止する（ステップＳ３７）。
【０１４５】
ステップＳ３７を実行すると、コイン検出装置１は、検出処理を終了して、図７に示す処理に戻る。
【０１４６】
図７に戻ってステップＳ８における検出処理が終了すると、切替部１００が動作モードを待機モードに切り替える（ステップＳ９）。これにより、コイン検出装置１は、再び待機状態となる。
【０１４７】
また、コイン検出装置１が待機状態にあるときにおいて、操作者が入力部６１を操作して、遊戯装置６の電源を断つと、ＣＰＵ１０はステップＳ１０においてＹｅｓと判定し、処理を終了する。
【０１４８】
以上のように、第１の実施の形態におけるコイン検出装置１は、互いに異なる３値以上の値のいずれかに検出光の光量がランダムに変化するように、当該検出光の発光パターンを決定する信号発生回路１５と、信号発生回路１５により決定された発光パターンで検出光を照射する発光部１６，１７と、入射する光に応じた受光パターンを出力する受光部１８，１９と、信号発生回路１５により決定された発光パターンと、受光部１８，１９により出力された受光パターンとに基づいて、受光部１８，１９に入射する光が発光部１６，１７により照射された検出光であるか否かを判定する判定部１０１とを備えることにより、検出光の光量について、ＯＮ・ＯＦＦ以外の中間値が存在することとなり、アナログ的にランダムに変化し模倣が困難であるため不正防止効果が向上する。
【０１４９】
また、互いに異なる３値以上の値は、いずれもゼロ以外の値であることにより、検出期間中において検出光の光量が「０」になることがない。したがって、投入物の端部位置を正確に検出できるため、コインの通過時間（時間τ）を正確に検出できる。
【０１５０】
また、投入された物を検出する投入検出部１４と、発光部１６，１７を点灯状態と消灯状態との間で切り替える切替部１００とをさらに備え、投入検出部１４により投入された物が検出されていないときには、発光部１６，１７を消灯状態にすることにより、例えば、消費電力を抑制できる。
【０１５１】
また、発光部１６，１７と受光部１８，１９とが反射型のフォトセンサを構成していることにより、表面状態の違いによる検出を行うことができ、検出精度が向上する。
【０１５２】
また、信号発生回路１５により決定される発光パターンと、当該発光パターンで検出光を照射した場合に受光部１８，１９により出力される受光パターンとの間の変換パラメータをパラメータデータ１１１として記憶装置１１に記憶しておき、判定部１０１が記憶されている変換パラメータに基づいて、判定することにより、発光パターンと受光パターンとを直接比較する場合に比べて、精度が向上する。
【０１５３】
また、検出対象のコインを投入しつつ発光部１６により検出光を照射して受光部１８により出力される受光パターンを取得し、取得した受光パターンと検出光の発光パターンとに基づいて変換パラメータを求めてパラメータデータ１１１として記憶させることにより、例えば、店舗ごとに異なるコインを使用する場合に、各コインごとに最適な検出を行うことができる。
【０１５４】
また、信号発生回路１５は、検出光の光量の変化するタイミングがランダムに変化するように、検出光の発光パターンの周波数をランダムに変更する。これにより、検出光の模倣がさらに困難になる。
【０１５５】
なお、第１の実施の形態では、発光部１６および発光部１７に共通の発生信号が信号発生回路１５から入力される。しかし、発光部１６および発光部１７に入力する発光信号を、信号発生回路１５がそれぞれ独立して生成するように構成してもよい。すなわち、異なる発光信号が、発光部１６および発光部１７にそれぞれ入力されるように構成してもよい。以下の実施の形態においても同様である。
【０１５６】
また、第１の実施の形態では、発光部１６および発光部１７から照射された検出光の対向壁面による反射光は、検出光の２５％として説明した。しかし、例えば、対向壁面に微小ミラー等の光学素子を設置し、反射光が受光部１８，１９のいずれにも入射しないように構成することも可能である。その場合、対向壁面から受光部１８，１９に入射する反射光は検出光の０％となり、判定が容易になる。
【０１５７】
＜２．  第２の実施の形態＞
第１の実施の形態におけるコイン検出装置１は、発光部１６，１７と受光部１８，１９とが、いわゆる反射型のフォトセンサを構成するように配置されていたが、これに限定されるものではない。
【０１５８】
図１１は、第２の実施の形態におけるコイン検出装置２を示す図である。第２の実施の形態におけるコイン検出装置２は、反射鏡２０を新たに備えている点と、発光部１６，１７および受光部１８，１９の位置関係が第１の実施の形態におけるコイン検出装置１と異なっている。そして、コイン検出装置２もコイン検出装置１と同様に遊戯装置６に組み込まれる。以下、コイン検出装置２の説明において、第１の実施の形態におけるコイン検出装置１の構成に相当する構成にはコイン検出装置１と同一の符号を付し、適宜説明を省略する。
【０１５９】
図１１に示すように、コイン検出装置２では、発光部１７（発光部１６）の対向壁面に反射鏡２０が固設されている。したがって、各検出光に干渉する位置に真性コイン８が存在していないとき、反射鏡２０は、発光部１７から照射される検出光を受光部１８に向けて反射するとともに、発光部１６から照射される検出光を受光部１９に向けて反射する。すなわち、コイン検出装置２では、コイン検出装置１と異なり、発光部１６から照射される検出光を受光部１９が受光し、発光部１７から照射される検出光を受光部１８が受光するように配置されている。
【０１６０】
一般的なフォトセンサでは、発光素子と受光素子とが一対となって市販されているため、図１１のように配置することにより、市販の素子を流用しやすいため、コストを抑制できる。また、発光部１６，１７および受光部１８，１９を通路１ａに対して同じ側（図１１において左側）に設けることにより、共通の部材にすべての構成を固設することができ、一体的構造物として扱いやすくなり、位置調整等が容易になる。
【０１６１】
コイン検出装置２では、真性コイン８が通路１ａ内を進行してくると、真性コイン８が各検出光を遮る状態となる。すなわち、コイン検出装置２では、図１１に示すように発光部１６，１７および受光部１８，１９を配置することにより、いわば遮断型のフォトセンサを構成している。
【０１６２】
また、図１１から明らかなように、通路１ａ内を進行する真性コイン８によって先に遮蔽されるのは、受光部１８に入射する検出光である。すなわち、判定部１０１が真性コイン８の第１位置を検出するのは、第１の実施の形態と同様に、受光部１８から入力される受光パターンによってである。
【０１６３】
図１２は、第２の実施の形態におけるコイン検出装置２において、投入物が投入された場合における発光部１６の発光パターンおよび受光部１９の受光パターンを例示する図である。なお、図１２に示す例では、投入物（コイン）は検出光をほぼ１００％遮断する遮蔽物として扱っている。
【０１６４】
市場に流通しているコイン（特に遊戯コイン）は、光をほぼ１００％遮断する材料で形成されているものが多い。しかし、貨幣の中には５０円硬貨や５円硬貨のように空洞が形成されているコインも一部に存在する。このようなコインは検出光を当てる位置によっては通過中でも検出光を透過する状況もあり得るが、以下の説明では、真性コイン８が検出光を１００％遮断するものとして説明する。すなわち、図１２に示す時間Ｃｔの間、受光パターンにおける光量はほぼ「ゼロ」である。
【０１６５】
図１３は、第２の実施の形態におけるコイン検出装置２によってコインを検出する方法を示す流れ図である。図１３に示す処理は、遊戯装置６（コイン検出装置２）の電源が投入されることにより開始される。
【０１６６】
なお、第２の実施の形態におけるコイン検出装置２は、先述のように、遮断型のフォトセンサを用いている。したがって、真性コイン８の表面によって反射された検出光を判定に用いることはないため、第１の実施の形態における調整処理（ステップＳ４）に相当する処理を行う意味がない。すなわち、コイン検出装置２の動作モードには調整モードに相当するモードは設けられていない。
【０１６７】
電源が投入されると、遊戯装置６およびコイン検出装置２は所定の初期設定を実行する。さらに、コイン検出装置２の切替部１００がコイン検出装置１の動作モードを待機モードにセットし（ステップＳ４１）、待機状態となる。
【０１６８】
待機状態において、コイン検出装置２のＣＰＵ１０は、投入物が検出されるか（ステップＳ４２）、および、電源が断たれるか（ステップＳ４６）を監視している。
【０１６９】
コイン検出装置２が待機状態にあるときに、投入検出部１４から出力される投入信号により投入物が検出されたことが伝達されると、ＣＰＵ１０はステップＳ４２においてＹｅｓと判定し、切替部１００が動作モードを検出モードに切り替える（ステップＳ４３）。これにより、コイン検出装置２において検出処理（ステップＳ４４）が開始される。
【０１７０】
図１４および図１５は、第２の実施の形態におけるコイン検出装置２による検出処理の詳細を示す流れ図である。なお、本実施の形態における検出処理とは、コイン検出装置２が真性コイン８を検出する処理である。
【０１７１】
検出処理が開始されると、切替部１００が信号発生回路１５の駆動を開始させる（ステップＳ５１）。これにより、信号発生回路１５が検出光の発光パターンを決定しつつ、発光信号を生成し発光部１６，１７に向けて出力を開始する。したがって、発光部１６，１７による検出光の照射が開始される（ステップＳ５２）。
【０１７２】
検出光の照射が開始されると、ＣＰＵ１０に対して受光部１８，１９からの入力が開始され、判定部１０１による受光部１８，１９からの受光パターンの取得が開始される（ステップＳ５３）。
【０１７３】
次に、判定部１０１は、信号発生回路１５から入力される発光パターン（発光部１７による検出光の発光パターン）と、受光部１８から入力される受光パターンと、パラメータデータ１１１とに基づいて、受光部１８が受光している光が真に発光部１７から照射された検出光であるか否かの判定を開始する（ステップＳ５４）。
【０１７４】
また、ステップＳ５４において、判定部１０１は、信号発生回路１５から入力される発光パターン（発光部１６による検出光の発光パターン）と、受光部１９から入力される受光パターンと、パラメータデータ１１１とに基づいて、受光部１９が受光している光が真に発光部１６から照射された検出光であるか否かの判定も同時に開始する。
【０１７５】
なお、第２の実施の形態におけるパラメータデータ１１１は、第１の実施の形態におけるパラメータデータ１１１のように反射光の減衰率ではなく、照射された検出光が通路１ａ内を通過することによる減衰率に応じた値となる。
【０１７６】
また、ステップＳ５４が実行された後は、受光部１８から入力される受光パターンによる判定は、投入物が第１位置に到達し、ステップＳ５６が実行されるまで継続される。また、受光部１９から入力される受光パターンによる判定は、投入物が第２位置に到達し、ステップＳ５８が実行されるまで継続される。
【０１７７】
ステップＳ５４を実行すると、コイン検出装置２は、ステップＳ４２において検出された投入物が第１位置に到達するまで待機する（ステップＳ５５）。なお、第２の実施の形態において、投入物が第１位置に到達したか否かは、発光パターンの光量に対する受光部１８の受光パターンの光量が「０」に変化する瞬間として検出できる。
【０１７８】
第２の実施の形態においても、検出期間において発光部１６，１７から照射される検出光の光量は「０」とはならない。従来の技術のように、検出期間において検出光がＯＮ・ＯＦＦされると、たまたま検出光の光量が「０」となったために受光パターンの光量が「０」となったのか、投入物の端部によって検出光が遮断されたために受光パターンの光量が「０」となったのかを正確に判断することは困難となる。
【０１７９】
しかしながら、コイン検出装置２の信号発生回路１５は、検出光の発光パターンにおいて、光量を「０」とすることがないため、受光パターンの光量が「０」となるのは検出光が遮蔽物によって遮断された場合に限られ、正確に、投入物（あるいは真性コイン８）の位置を検出できる。
【０１８０】
投入物が通路１ａ内の第１位置に到達すると、判定部１０１は、ステップＳ５４で開始した受光部１８が受光している光が真に発光部１７から照射された検出光であるか否かの判定を停止し（ステップＳ５６）、投入物が第２位置に到達するまで待機する（ステップＳ５７）。なお、投入物が第２位置に到達したか否かは、発光パターンの光量に対する受光部１９の受光パターンの光量が瞬間的に「０」となる瞬間として検出できる。
【０１８１】
投入物が第２位置に到達すると、判定部１０１は、ステップＳ４で開始した受光部１９が受光している光が真に発光部１６から照射された検出光であるか否かの判定を停止する（ステップＳ５８）。
【０１８２】
さらに、判定部１０１は、第１の実施の形態と同様に、式２を演算して投入物のサイズＷを求め、サイズＷとサイズデータ１１２とを比較することにより、サイズによる判定を行う（ステップＳ５９）。すなわち、投入物がサイズデータ１１２に比べて小さすぎたり、大きすぎたりした場合は、投入物を不正規投入物９であると判定する。
【０１８３】
サイズによる判定が実行されると、コイン検出装置２は、投入物が第３位置に到達するまで待機する（ステップＳ６１）。なお、投入物が第３位置に到達したか否かは、受光部１８の受光パターンの光量が「０」から増大する瞬間として検出できる。
【０１８４】
投入物が第３位置に到達すると、判定部１０１は、受光部１８が受光している光が真に発光部１７から照射された検出光であるか否かの判定を再度開始し（ステップＳ６２）、投入物が第４位置に到達するまで待機する（ステップＳ６３）。なお、投入物が第４位置に到達したか否かは、受光部１９の受光パターンの光量が「０」から増大する瞬間として検出できる。
【０１８５】
投入物が第４位置に到達すると、判定部１０１は、受光部１９が受光している光が真に発光部１６から照射された検出光であるか否かの判定を再度開始し（ステップＳ６４）、時間Ｔが経過するまで待機する（ステップＳ６５）。
【０１８６】
時間Ｔが経過すると、判定部１０１がステップＳ６２，Ｓ６４において開始した判定を停止するとともに（ステップＳ６６）、切替部１００が信号発生回路１５の駆動を停止する（ステップＳ６７）。これにより、発光部１６，１７による検出光の照射が停止する（ステップＳ６８）。
【０１８７】
次に、判定部１０１は、これまでの判定結果に応じて判定データ１１３を作成し、記憶装置１１に記憶させる。これにより、インタフェース部１２が遊戯装置６の制御部６０に判定データ１１３を伝達する（ステップＳ６９）。
【０１８８】
遊戯装置６の制御部６０は、コイン検出装置２からコイン未検出を示す判定データ１１３が伝達された場合には、コインカウンターをインクリメントすることなく、コイン選別部６３により投入物を排出部に向けて導く。これにより、真性コイン８と判定されなかった投入物は遊戯装置６の外部に排出される。
【０１８９】
また、遊戯装置６の制御部６０は、コイン検出装置２からコイン検出を示す判定データ１１３が伝達された場合には、コインカウンターをインクリメントするとともに、コイン選別部６３により投入物を貯留部に向けて導く。これにより、真性コイン８を投入した場合には遊戯装置６による遊戯が可能となる。
【０１９０】
ステップＳ６９を実行して判定データ１１３の伝達が完了すると、コイン検出装置２は、検出処理を終了して、図１３に示す処理に戻る。
【０１９１】
図１３に戻ってステップＳ４４における検出処理が終了すると、切替部１００が動作モードを待機モードに切り替える（ステップＳ４５）。これにより、コイン検出装置２は、再び待機状態となる。
【０１９２】
また、コイン検出装置２が待機状態にあるときにおいて、操作者が入力部６１を操作して、遊戯装置６の電源を断つと、ＣＰＵ１０はステップＳ４６においてＹｅｓと判定し、処理を終了する。
【０１９３】
以上のように、第２の実施の形態におけるコイン検出装置２のように、発光部１６，１７および受光部１８，１９によって、遮断型のフォトセンサを構成するようにしても、第１の実施の形態と同様の不正防止効果を得ることができる。
【０１９４】
また、コイン検出装置２のように、遮断型のフォトセンサを構成するように配置することにより、真性コイン８の状態に左右されることなく、検出を行うことができる。また、移動中のコインからの反射光を受光する反射型のフォトセンサを構成する場合に比べて、発光部１６，１７および受光部１８，１９の位置関係の最適化が容易である。
【０１９５】
＜３．  第３の実施の形態＞
遮断型のフォトセンサを構成する場合における発光部１６，１７および受光部１８，１９の位置関係は、第２の実施の形態に示した位置関係に限定されるものではなく、様々な変形が考えられる。
【０１９６】
図１６は、第３の実施の形態におけるコイン検出装置３を示す図である。第３の実施の形態におけるコイン検出装置３は、反射鏡２０に相当する構成を備えていないことと、発光部１６，１７および受光部１８，１９の位置関係が異なることを除いて、第２の実施の形態におけるコイン検出装置２と同様である。したがって、本実施の形態におけるコイン検出装置３については、第２の実施の形態におけるコイン検出装置２と異なる点について説明し、同様の点については適宜説明を省略する。
【０１９７】
図１６に示すように、コイン検出装置３では、発光部１６と受光部１８とが互いに対向し、発光部１７と受光部１９とが互いに対向する位置関係となっている。なお、コイン検出装置３における処理は第２の実施の形態におけるコイン検出装置２と同様であるため説明を省略する。
【０１９８】
以上のように、第３の実施の形態におけるコイン検出装置３であっても、第２の実施の形態と同様の効果を得ることができる。
【０１９９】
＜４．  第４の実施の形態＞
上記実施の形態では、信号発生回路１５は、検出光（検出期間に照射される光）の光量が「０」とはならないように発光パターンを決定していた。しかし、検出光の光量の値が互いに異なる３値のうちのいずれかの値となるのであれば、そのうちの１つの値に「０」を用いても、光量に「０」「１（最大値）」以外の中間値が存在するため充分に不正を抑制できる。
【０２００】
図１７は、第４の実施の形態における信号発生回路１５によって決定された発光部１６，１７の発光パターンを例示する図である。なお、第４の実施の形態におけるコイン検出装置１は、信号発生回路１５が生成する発光パターンにおいて、光量（光強度）が「０」となる場合がある（互いに異なる３値以上の値のうちの１つが「０」である）ことを除いて、第１の実施の形態と同様であるため、第１の実施の形態におけるコイン検出装置１と同様の構成および機能については適宜説明を省略する。
【０２０１】
第４の実施の形態における信号発生回路１５は、発光信号の周波数変調を行うことにより、発光部１６，１７をランダムなタイミングでＯＮ・ＯＦＦする。ただし、検出光がＯＮされたときの検出光の光量は、図１７に示すように様々である。図１７に示す例では、点灯時の光量として５種類の値が登場している。
【０２０２】
このように、第４の実施の形態における信号発生回路１５は、発光部１６，１７を点灯させるときの光量をランダムに変調して発光パターンを決定する。ただし、点灯時の光量としては５値に限定されるものではなく、２値以上であればよい。
【０２０３】
これにより、第４の実施の形態における発光パターンで発光部１６，１７が発光すると、少なくとも点灯後の光量は必ず「０」となるため、検出光を模倣して不正行為を企図する者にとっては、第１の実施の形態における発光パターンに比べて多少は予測しやすくなる。しかしながら、消灯後の光量は少なくとも残りの２値のうちからランダムに決定されるため、不正治具がこれを測定して検出する機能を備えていなければ発光パターンを模倣できないことに変わりはない。したがって、第１の実施の形態におけるコイン検出装置１に比べれば若干劣るとしても、従来の技術に比べれば、不正を防御する効果は充分に高いといえる。
【０２０４】
一般的な光電素子から構成される受光部１８，１９は、入射光の光量変化に対して、わずかながら遅れて出力値が変化するという性質がある。そこで、図１７に示すように、パルス状の発光パターンで検出光を照射し、パルス状の光が受光部１８，１９に入射するように構成すると、受光部１８，１９からもパルス状の出力が得られることになる。しかし、受光部１８，１９から出力されるパルスは、先述のように、発光パターンにおけるパルスから少し遅れたものとなる。
【０２０５】
そして、この遅れ（立ち上がり時または下がり時の遅れ）は、入射光の光量が大きいほど短時間であるという性質がある。したがって、受光部１８，１９の閾値を比較的低く設定するとともに、発光パターンのパルスに対する受光パターンのパルスの遅れを計測すれば、入射光の光量を再現できる。すなわち、受光部１８，１９から出力される受光パターンがデジタル的出力であり、受光パターンが「０」または「１」であったとしても、発光パターンに対する「１」の遅れを測定すれば、当該「１」のときの入射光の光量がわかる。
【０２０６】
第４の実施の形態におけるコイン検出装置１においても、点灯時の光量を出力するために、受光部１８，１９はアナログ的出力が可能となるように構成する。しかしながら、図１７に示す発光パターンで発光部１６，１７を発光させることにより、従来のデジタル的出力であっても、中間値が存在する発光パターンと「０」と「１」とで表現された受光パターンとの比較は可能である。すなわち、受光部１８，１９は、デジタル的出力を採用することができる。
【０２０７】
＜５．  変形例＞
以上、本発明の実施の形態について説明してきたが、本発明は上記実施の形態に限定されるものではなく様々な変形が可能である。
【０２０８】
例えば、上記実施の形態に示した各工程は、あくまでも例示であって、上記に示した順序および内容（処理）に限定されるものではなく、同様の効果が得られるのであれば、各工程の順序や内容が適宜変更されてもよい。
【０２０９】
また、上記実施の形態において示した機能ブロック（切替部１００および判定部１０１）はプログラム１１０によりソフトウェアで実現されると説明した。しかし、これらの機能ブロックの機能の一部または全部を専用の論理回路（ハードウェア）により実現するように構成してもよい。例えば、判定部１０１における発光パターンと受光パターンとを比較する機能を比較回路で実現してもよい。
【０２１０】
また、上記実施の形態において示したハードウェアの一部をソフトウェアで実現してもよい。
【符号の説明】
【０２１１】
１，２，３  コイン検出装置
１０  ＣＰＵ
１００  切替部
１０１  判定部
１１  記憶装置
１１０  プログラム
１１１  パラメータデータ
１１２  サイズデータ
１１３  判定データ
１３  タイマ
１４  投入検出部
１５  信号発生回路
１６，１７  発光部
１８，１９  受光部
２０  反射鏡
６  遊戯装置
８  真性コイン
８０  純真性コイン
８１  仮真性コイン
９  不正規投入物
【図１】
2011100312.tif 000003
【図２】
2011100312.tif 000004
【図３】
2011100312.tif 000005
【図４】
2011100312.tif 000006
【図５】
2011100312.tif 000007
【図６】
2011100312.tif 000008
【図７】
2011100312.tif 000009
【図８】
2011100312.tif 000010
【図９】
2011100312.tif 000011
【図１０】
2011100312.tif 000012
【図１１】
2011100312.tif 000013
【図１２】
2011100312.tif 000014
【図１３】
2011100312.tif 000015
【図１４】
2011100312.tif 000016
【図１５】
2011100312.tif 000017
【図１６】
2011100312.tif 000018
【図１７】
2011100312.tif 000019